(57)【要約】【課題】雌型コネクタを構成する雌型端子が腐食することを回避する。【解決手段】雌型コネクタとしてのバッテリ側コネクタ３０を構成する雌型端子３４ａ〜３４ｇは、雄型端子６４ａ〜６４ｇの各々を挟持する第１端子部５６ａと第２端子部５６ｂを備える。第１端子部５６ａは、雄型端子６４ａ〜６４ｇを第２端子部５６ｂに指向して押圧する第１押圧部位６２ａを有し、一方、第２端子部５６ｂは、雄型端子６４ａ〜６４ｇを第１端子部５６ａに指向して押圧する第２押圧部位６２ｂを有する。第１押圧部位６２ａ及び第２押圧部位６２ｂは、雄型端子６４ａ〜６４ｇを挿入するときの該雄型端子６４ａ〜６４ｇの進行方向に対して傾斜するように設けられる。【選択図】図３
2019204576.tif 000002
【特許請求の範囲】
【請求項１】
雄型端子が挿入されて前記雄型端子との間で電力又は信号を伝達する雌型端子を含む雌型コネクタであって、
前記雌型端子は、前記雄型端子を挟持する第１端子部と第２端子部を備え、
前記第１端子部は、前記雄型端子を前記第２端子部に指向して押圧する第１押圧部位を有し、
前記第２端子部は、前記雄型端子を前記第１端子部に指向して押圧する第２押圧部位を有し、
前記第１押圧部位及び前記第２押圧部位が、前記雄型端子を挿入するときの該雄型端子の進行方向に対して傾斜している、雌型コネクタ。
【請求項２】
請求項１記載の雌型コネクタにおいて、前記第１押圧部位の傾斜方向と、前記第２押圧部位の傾斜方向とが互いに逆方向である、雌型コネクタ。
【請求項３】
請求項１又は２記載の雌型コネクタにおいて、前記第１押圧部位及び前記第２押圧部位の少なくともいずれか一方に、前記第１端子部及び前記第２端子部の厚み方向に沿って貫通するスリットが形成されている、雌型コネクタ。
【請求項４】
請求項１〜３のいずれか１項に記載の雌型コネクタにおいて、前記第１押圧部位及び前記第２押圧部位の長手方向が前記雄型端子の前記進行方向に一致する、雌型コネクタ。
【請求項５】
請求項４記載の雌型コネクタにおいて、前記第１押圧部位及び前記第２押圧部位の長手方向が鉛直方向に一致する、雌型コネクタ。
【請求項６】
請求項１〜５のいずれか１項に記載された雌型コネクタを備える、バッテリパック。
【発明の詳細な説明】
【技術分野】
【０００１】
本発明は、雄型端子を挟持する第１端子部と第２端子部を有する雌型コネクタ及び該雌型コネクタを備えるバッテリパックに関する。
【背景技術】
【０００２】
特許文献１に記載されるように、バッテリパックは、一般的に、複数個の単セルを保持したバッテリコアパックがハウジングの中空内部に収容されることで構成されている。バッテリパックはバッテリ側コネクタを有し、該バッテリ側コネクタは、外部負荷（例えば、モータ等）の負荷側コネクタに電気的に接続される。バッテリ側コネクタから負荷側コネクタを介して電力が供給されることにより、外部負荷が運転される。勿論、この際、単セルは放電状態である。
【０００３】
単セルは、例えば、リチウム二次電池からなり、放電によって容量がある程度まで低下すると充電がなされる。すなわち、バッテリ側コネクタが負荷側コネクタから離脱された後、充電装置の充電用コネクタに電気的に接続される。充電用コネクタからバッテリ側コネクタを介して電力が供給されることにより各単セルの容量が回復し、バッテリパックが再放電可能な状態となる。
【０００４】
バッテリ側コネクタとして、特許文献２に記載されたものが知られている。このバッテリ側コネクタは、導電性部材が略Ｕ字形状ないし略Ｙ字形状に折曲されることで開口端部と閉塞端部を有する形状をなし、前記開口端部近傍が互いに近接するように成形された、いわゆる雌型端子を有する雌型コネクタからなる。一方、外部負荷（特許文献２では電動工具）の負荷側コネクタは略平板形状の雄型端子を有する雄型コネクタであり、バッテリ側コネクタと電気的に接続されるときには、雄型端子が、雌型端子の前記開口端部を介して、前記閉塞端部側の内部空間、すなわち、内方クリアランスに進入する。この際、開口近傍の互いに近接する部位（以下、「押圧部位」ともいう）が、雄型端子に接触する。
【先行技術文献】
【特許文献】
【０００５】
【特許文献１】特開２０１３−１６４９６９号公報（特に段落［００４３］参照）
【特許文献２】特開２００８−６６１４８号公報（特に段落［００３５］、［００３６］、図５〜図８参照）
【発明の概要】
【発明が解決しようとする課題】
【０００６】
バッテリパックにおいて、バッテリ側コネクタを底面に配設することがある。この場合、負荷側コネクタ又は充電用コネクタは、バッテリパックの少なくとも底面近傍を収容するパック収納部内に設けられる。ここで、バッテリパックが、電動アシスト自転車や電動バイク等の電動車両に搭載されたモータを駆動するものである場合、パック収納部は上方を臨んで開口することが一般的である。このため、パック収納部内に洗車時の水や雨水が浸入したり、雄型端子に異物が付着したりすることが想定される。このような事態が発生すると、雄型端子が雌型端子に差し込まれた際、水や異物が、雌型端子の内方クリアランスに押し込まれる懸念がある。
【０００７】
水や異物は、雄型端子が雌型端子から引き抜かれるとき、互いに近接する押圧部位によって堰き止められる。すなわち、雌型端子の内方クリアランスに水や異物が残置される。このような状態が長期間にわたって継続されたときには、雌型端子が腐食する原因となり得る。
【０００８】
本発明は上記した問題を解決するためになされたもので、雌型端子の内部に水や異物が残置することが困難な雌型コネクタ及びそれを備えるバッテリパックを提供することを目的とする。
【課題を解決するための手段】
【０００９】
本発明に係る一態様によれば、雄型端子が挿入されて前記雄型端子との間で電力又は信号を伝達する雌型端子を含む雌型コネクタであって、
前記雌型端子は、前記雄型端子を挟持する第１端子部と第２端子部を備え、
前記第１端子部は、前記雄型端子を前記第２端子部に指向して押圧する第１押圧部位を有し、
前記第２端子部は、前記雄型端子を前記第１端子部に指向して押圧する第２押圧部位を有し、
前記第１押圧部位及び前記第２押圧部位が、前記雄型端子を挿入するときの該雄型端子の進行方向に対して傾斜している雌型コネクタが提供される。
【００１０】
また、本発明に係る別の一態様によれば、上記の雌型コネクタを備えるバッテリパックが提供される。
【発明の効果】
【００１１】
本発明によれば、雌型端子の、雄型端子を押圧して挟持する第１押圧部位及び第２押圧部位を、雄型端子を挿入するときの該雄型端子の進行方向に対して傾斜するように設けている。このため、水や異物が雌型端子の内方クリアランスに押し込まれた場合であっても、水や異物は、傾斜した第１押圧部位及び第２押圧部位に沿って滑動し、内方クリアランスから排出される。
【００１２】
すなわち、内方クリアランスに水や異物が残置されることが回避される。このため、雌型端子が腐食することを回避することができる。
【図面の簡単な説明】
【００１３】
【図１】図１Ａ及び図１Ｂは、本発明の実施の形態に係るバッテリパックの一方向からの概略全体斜視図、別方向からの概略全体斜視図である。
【図２】図１のバッテリパックに設けられたバッテリ側コネクタ（雌型コネクタ）と、外部負荷側に設けられた負荷側コネクタ（雄型コネクタ）とを示す要部分解図である。
【図３】図２のバッテリ側コネクタと負荷側コネクタを連結した状態を示す要部縦断面図である。
【図４】図２のバッテリ側コネクタを構成する雌型端子の要部概略正面図である。
【図５】図４中のＶ線矢視図である。
【図６】図４中のＶＩ線矢視図である。
【図７】バッテリ側コネクタと負荷側コネクタを連結したときに雌型端子の内方クリアランスに水が押し込まれた状態を示す要部概略正面図である。
【図８】内方クリアランスから水が排出される状態を示す要部側面図である。
【図９】スリットが形成された雌型端子の概略斜視図である。
【図１０】別の実施の形態に係る雌型端子の要部概略正面図である。
【発明を実施するための形態】
【００１４】
以下、本発明に係る雌型コネクタにつき、それを備えるバッテリパックとの関係で好適な実施の形態を挙げ、添付の図面を参照して詳細に説明する。
【００１５】
図１Ａ及び図１Ｂは、それぞれ、本実施の形態に係るバッテリパック１０の一方向からの概略全体斜視図、別方向からの概略全体斜視図である。この場合、バッテリパック１０は縦長の略直方体形状をなすハウジング１２を有し、ハウジング１２を平面視したとき、その形状は、略正方形又は略長方形である。
【００１６】
ハウジング１２の内部には、複数個の単セルを保持したバッテリコアパックが収容される。単セルは、例えば、リチウム二次電池からなり、外部負荷に対して電力を供給することで容量（蓄電量）が低減した後は、充電装置から電力の供給を受けることで容量を回復させることが可能である。換言すれば、単セルは、充電及び放電を繰り返すことが可能である。バッテリパック１０のこのような構成は公知であり、従って、その詳細な説明及び図示は省略する。
【００１７】
ハウジング１２の上面には、長手方向両端部が折曲されて該上面に連なることでアーチ形状をなすアーチ部１４と、上縁部が円弧状に湾曲したタブ状突出部１６とが互いに対向するように設けられる。さらに、アーチ部１４の上端からタブ状突出部１６の上端にかけて、バー状把持部１８が橋架される。ここで、アーチ部１４及びタブ状突出部１６の両上端がハウジング１２の上面から突出しているため、バー状把持部１８は、ハウジング１２の上面に対して離間する。従って、バー状把持部１８とハウジング１２の上面との間に把持用クリアランス２０が形成される。ユーザは、この把持用クリアランス２０に手（指）を差し込んでバー状把持部１８を把持することが可能である。
【００１８】
ハウジング１２の、アーチ部１４が設けられた側の底面には、バッテリ側コネクタ３０が設けられる。このバッテリ側コネクタ３０につき、図２及び図３を参照して詳述する。
【００１９】
図２及び図３は、それぞれ、バッテリ側コネクタ３０及び負荷側コネクタ３２の要部分解図、要部縦断面図である。バッテリ側コネクタ３０は、台座３３と、該台座３３に支持された７個の雌型端子３４ａ〜３４ｇ（図３参照）とを有する。台座３３は、例えば、絶縁性樹脂等からなる絶縁体であり、雌型端子３４ａ〜３４ｇは、例えば、銅等の金属からなる良好な導電体である。
【００２０】
台座３３には、その下面から鉛直方向に沿って延在する７個の収容孔３６が形成される。収容孔３６は、台座３３の長手方向（この場合、アーチ部１４に平行な水平方向）に沿って直線状に並列配置される。また、台座３３の下面には、一端に位置する収容孔３６から他端に位置する収容孔３６まで跨るカバー部材３８が２個の連結ピン４０を介して取り付けられる。カバー部材３８には、収容孔３６の各々に連なり略長方形形状をなす差込口４２が形成される。
【００２１】
さらに、台座３３の下面には、７個の収容孔３６を挟む位置に形成された２個の案内孔４４が開口する。後述するように、案内孔４４に位置決めピン４６が挿入されることに伴ってバッテリパック１０が位置決め固定される。
【００２２】
台座３３の側面には、各々にネジ挿通孔４８が形成された複数個のタブ部５０が突出するように設けられる。ネジ挿通孔４８には、該台座３３をハウジング１２に取り付けるためのネジ（図示せず）が通される。
【００２３】
収容孔３６の上部には、中実な端子支持部５２が設けられる。雌型端子３４ａ〜３４ｇは、略平板形状の板型端子部５４と、該板型端子部５４から二叉に分岐した第１端子部５６ａ及び第２端子部５６ｂとを有し、略Ｙ字形状をなす。そして、雌型端子３４ｂ〜３４ｆは、第１端子部５６ａ及び第２端子部５６ｂが収容孔３６に収容されるとともに、その分岐点近傍が端子支持部５２に埋入され且つ板型端子部５４の全体が端子支持部５２から突出する。この突出した板型端子部５４が、ハウジング１２内の単セルとの電気的接点となる。
【００２４】
その一方で、雌型端子３４ａ、３４ｇは、第１端子部５６ａ及び第２端子部５６ｂが収容孔３６に収容され、且つ板型端子部５４の全体が端子支持部５２に埋入される。雌型端子３４ａ、３４ｇの、単セルとの電気的接点は、台座３３の側面に設けられる。雌型端子３４ａ、３４ｇは単セルと外部負荷又は充電装置との間で電力を伝達するための電力伝達用端子であり、雌型端子３４ｂ〜３４ｆは信号を伝達するための信号伝達用端子である。
【００２５】
雌型端子３４ａ〜３４ｇの長尺な第１端子部５６ａと第２端子部５６ｂは、バッテリパック１０のハウジング１２の長手方向が重力方向に沿って延在することから、重力方向が長手方向となる。第１端子部５６ａと第２端子部５６ｂは、下端側となるにつれて互いに一旦接近し、その後に離間する。最下端の離間により、第１端子部５６ａと第２端子部５６ｂの間に開口端部６０が形成される。また、第１端子部５６ａの、第２端子部５６ｂに最近接する部位は第１押圧部位６２ａであり、第２端子部５６ｂの、第１端子部５６ａに最近接する部位は第２押圧部位６２ｂである。第１押圧部位６２ａ及び第２押圧部位６２ｂは、後述するように、負荷側コネクタ３２を構成する雄型端子６４ａ〜６４ｇの各々を押圧する。
【００２６】
第１端子部５６ａ及び第２端子部５６ｂは薄肉であり、このために弾性を示す。すなわち、第１端子部５６ａと第２端子部５６ｂが、開口端部６０の離間距離を大きくする（開度を大とする）力から解放されたときには、弾性によって互いに接近する。換言すれば、開口端部６０が元の開度に戻ろうとする。
【００２７】
この場合、第１端子部５６ａ、第２端子部５６ｂ、及び収容孔３６の天井面によって内方クリアランス６６が形成される。この内方クリアランス６６には、外部負荷の負荷側コネクタ３２（又は充電装置の充電用コネクタ）を構成する端子が挿入される。図２及び図３に示すように、負荷側コネクタ３２及び充電用コネクタは、雄型端子６４ａ〜６４ｇを有する雄型コネクタからなる。負荷側コネクタ３２の構成については、後述する。
【００２８】
内方クリアランス６６に雄型端子６４ａ〜６４ｇが挿入されると、雌型端子３４ａ〜３４ｇを構成する第１押圧部位６２ａ及び第２押圧部位６２ｂが雄型端子６４ａ〜６４ｇを押圧する。この押圧により、雄型端子６４ａ〜６４ｇが第１端子部５６ａと第２端子部５６ｂに挟持される。
【００２９】
ここで、図４〜図６に詳細を示すように、第１押圧部位６２ａ及び第２押圧部位６２ｂは、雄型端子６４ａ〜６４ｇが挿入される挿入方向、すなわち、第１押圧部位６２ａ及び第２押圧部位６２ｂの長手方向に対して傾斜している。第１押圧部位６２ａは、例えば、アーチ部１４からタブ状突出部１６に向かうにつれて下降する。第１押圧部位６２ａの水平方向に対する傾斜角度θ１は、水や異物が第１押圧部位６２ａに沿って滑動することが可能な程度、例えば、５°〜４５°、一層好ましくは１０°〜４０°に設定することができる。
【００３０】
これとは逆に、第２押圧部位６２ｂは、アーチ部１４からタブ状突出部１６に向かうにつれて上昇する。すなわち、第２押圧部位６２ｂの傾斜方向は、第１押圧部位６２ａの傾斜方向と反対である。第１押圧部位６２ａの水平方向に対する傾斜角度θ２も、θ１と同様に５°〜４５°、一層好ましくは１０°〜４０°の範囲内に設定することができるが、θ１とθ２を必ずしも同一に設定する必要はない。
【００３１】
雌型端子３４ａ、３４ｇの板型端子部５４には、図示しない電力線が電気的に接続される。また、雌型端子３４ｂ〜３４ｆの板型端子部５４には、図示しない信号伝達線が電気的に接続される。
【００３２】
バッテリパック１０は、例えば、電動アシスト自転車や電動バイク等の車体に搭載され、外部負荷としてのモータを付勢する電力供給源として機能する。これらの車体には、バッテリパック１０を収納する収納孔が形成される。この収納孔の底部には、図２及び図３に示す負荷側コネクタ３２が設けられる。
【００３３】
また、バッテリパック１０を構成する単セルの容量が低減したときに容量を回復するための充電装置にも収納孔が形成されるとともに、該収納孔の底部に、負荷側コネクタ３２と同一形状の充電用コネクタが設けられる。
【００３４】
上記した通り、負荷側コネクタ３２（及び充電用コネクタ）は雄型コネクタからなり、支持台７０と、該支持台７０に支持された略平板形状の７個の雄型端子６４ａ〜６４ｇとを有する。支持台７０は、台座３３と同様に絶縁性樹脂等からなる絶縁体であり、雄型端子６４ａ〜６４ｇは、銅等の金属からなる良好な導電体である。
【００３５】
７個の雄型端子６４ａ〜６４ｇはいずれも、鉛直方向に沿う長手方向の両端部が支持台７０から突出する。雄型端子６４ａ、６４ｇの下端部には電力線が電気的に接続されるとともに、雄型端子６４ｂ〜６４ｆの下端部には信号伝達線が電気的に接続される。なお、雄型端子６４ａ〜６４ｇの長手方向中間部は、支持台７０に設けられた端子囲繞部７２に囲繞されている。
【００３６】
支持台７０の上面には、バッテリ側コネクタ３０に向かって延在するピン支持部７４が設けられる。ピン支持部７４の、案内孔４４に対応する位置には、位置決めピン４６が立設される。すなわち、位置決めピン４６は、互いの間に雄型端子６４ａ〜６４ｇを挟むように設けられる。
【００３７】
次に、本実施の形態に係るバッテリ側コネクタ３０（雌型コネクタ）を備えるバッテリパック１０の作用効果につき説明する。
【００３８】
バッテリパック１０を収納するための収納孔は、ユーザのバッテリパック１０の収納又は取り出しを容易にするべく、長手方向が鉛直方向と同一、又は鉛直方向に対して若干傾斜するように設けられる。従って、収納孔は、鉛直上方を臨んで、又は鉛直上方から若干傾斜した状態で開口する。このため、洗車時の水や雨水、又は異物等が開口から収納孔内に進入し、負荷側コネクタ３２の雄型端子６４ａ〜６４ｇに付着することが想定される。
【００３９】
収納孔にバッテリパック１０が収納される際には、位置決めピン４６が案内孔４４に進入し始める。以降は位置決めピン４６が案内孔４４に案内されることにより、負荷側コネクタ３２とバッテリ側コネクタ３０との位置合わせがなされる。また、位置決めピン４６が案内孔４４の所定の深さまで挿入されると、バッテリパック１０が収納孔内の所定位置に位置決め固定される。
【００４０】
案内孔４４による位置決めピン４６の案内と同時に、雄型端子６４ａ〜６４ｇがカバー部材３８の差込口４２、及び台座３３の収容孔３６に挿通され、さらに、バッテリ側コネクタ３０の雌型端子３４ａ〜３４ｇの開口端部６０から、第１端子部５６ａと第２端子部５６ｂの間に挿入される。この挿入時、第１押圧部位６２ａと第２押圧部位６２ｂが、互いが離間する方向に若干開く。このとき、第１押圧部位６２ａの傾斜方向と第２押圧部位６２ｂの傾斜方向が反対であるので、第１押圧部位６２ａ及び第２押圧部位６２ｂに対する挿入負荷が分散される。すなわち、挿入負荷の偏りが解消されるので、第１押圧部位６２ａ及び第２押圧部位６２ｂに加わる挿入荷重が低減される。その結果、雄型端子６４ａ〜６４ｇが第１押圧部位６２ａと第２押圧部位６２ｂの間にスムーズに挿入される。
【００４１】
雄型端子６４ａ〜６４ｇの挿入に伴って開いた第１端子部５６ａと第２端子部５６ｂは、弾性によって元の開度に戻ろうとする。この結果、第１押圧部位６２ａと第２押圧部位６２ｂが雄型端子６４ａ〜６４ｇを押圧する。すなわち、図３に示すように雄型端子６４ａ〜６４ｇが第１押圧部位６２ａと第２押圧部位６２ｂで挟持され、これにより、雄型端子６４ａ〜６４ｇと雌型端子３４ａ〜３４ｇの電気的接点が形成される。雄型端子６４ａ〜６４ｇに水Ｗが付着していると、該水Ｗは、図７に示すように、雄型端子６４ａ〜６４ｇとともに開口端部６０を通過し、第１押圧部位６２ａ及び第２押圧部位６２ｂを越えて、第１端子部５６ａと第２端子部５６ｂの間の内方クリアランス６６に押し込まれる。なお、図７では、雌型端子３４ａ、雄型端子６４ａを例示している。
【００４２】
本実施の形態では、第１押圧部位６２ａ及び第２押圧部位６２ｂが、雄型端子６４ａ〜６４ｇの挿入方向（第１端子部５６ａ及び第２端子部５６ｂの長手方向）に対して傾斜している。この構成では、第１押圧部位６２ａ及び第２押圧部位６２ｂが雄型端子６４ａ〜６４ｇの挿入方向に対して直交する方向に延在する構成に比して、雄型端子６４ａ〜６４ｇに対する第１押圧部位６２ａ及び第２押圧部位６２ｂの接触面積、換言すれば、電気的接点の領域が大きくなる。しかも、雄型端子６４ａ〜６４ｇと雌型端子３４ａ〜３４ｇとの間の接触抵抗が小さくなるので、電力や信号の伝達に伴って温度が上昇することが抑制される。以上のような理由から、雄型端子６４ａ〜６４ｇと雌型端子３４ａ〜３４ｇの間で電力又は信号が安定して伝達される。
【００４３】
バッテリパック１０を構成する単セルの容量は、モータ等の外部負荷に対して電力を供給することに伴って低減する。容量がある閾値以下となると、電力を供給することができなくなるので、単セルに対して充電を行う必要がある。このために、バッテリパック１０を収納孔から取り出す。すなわち、ユーザは、ハウジング１２のバー状把持部１８を把持して引っ張り上げる。これにより、雄型端子６４ａ〜６４ｇが、雌型端子３４ａ〜３４ｇを構成する第１端子部５６ａと第２端子部５６ｂから離脱する。
【００４４】
第１押圧部位６２ａと第２押圧部位６２ｂの間から雄型端子６４ａ〜６４ｇが離脱すると、第１押圧部位６２ａと第２押圧部位６２ｂが一層接近するように変位する。すなわち、第１押圧部位６２ａと第２押圧部位６２ｂの間が狭小となる。このため、水Ｗが第１押圧部位６２ａと第２押圧部位６２ｂの間から進出することは困難である。
【００４５】
しかしながら、本実施の形態では、上記したように、第１押圧部位６２ａ及び第２押圧部位６２ｂが、雄型端子６４ａ〜６４ｇの挿入方向、すなわち、鉛直方向に対して傾斜している。このため、図８に示すように、水Ｗが重力の作用下に第１押圧部位６２ａ及び第２押圧部位６２ｂによって案内され、第１端子部５６ａと第２端子部５６ｂの間（内方クリアランス６６）から収容孔３６に排出される。水Ｗは、さらに、差込口４２を介して収容孔３６の外方に排出される。
【００４６】
このように、本実施の形態では、第１押圧部位６２ａ及び第２押圧部位６２ｂを、雄型端子６４ａ〜６４ｇの挿入方向に対して傾斜させている。このため、第１押圧部位６２ａ及び第２押圧部位６２ｂで画成される内方クリアランス６６の水Ｗが第１押圧部位６２ａ及び第２押圧部位６２ｂによって案内され、バッテリ側コネクタ３０の外方に容易に排出される。すなわち、内方クリアランス６６に水Ｗが残置することは困難である。このため、雌型端子３４ａ〜３４ｇが腐食することを可及的に回避することができる。
【００４７】
第１押圧部位６２ａ、第２押圧部位６２ｂの傾斜角度θ１、θ２は、水Ｗと第１押圧部位６２ａ又は第２押圧部位６２ｂの表面との摩擦係数に応じて設定すればよい。例えば、摩擦係数が０．２であるときは傾斜角度θ１、θ２を約１２°以上、０．６であるときは約３１°以上に設定することにより、水Ｗが第１押圧部位６２ａ又は第２押圧部位６２ｂに沿って容易に流動するようになる。
【００４８】
また、第１押圧部位６２ａ及び前記第２押圧部位６２ｂの少なくともいずれか一方、好ましくは図９に示すように双方に、第１端子部５６ａ及び第２端子部５６ｂの厚み方向に沿って貫通するスリット８０を形成するとよい。なお、スリット８０の延在方向は、例えば、第１端子部５６ａ及び第２端子部５６ｂの長手方向、換言すれば、雄型端子６４ａ〜６４ｇの挿入方向とすることができる。
【００４９】
この場合、内方クリアランス６６内の水Ｗは、傾斜した第１押圧部位６２ａ及び前記第２押圧部位６２ｂに沿って流動するのみならず、スリット８０を通過することによっても内方クリアランス６６外に排出される。すなわち、スリット８０を形成することにより、内方クリアランス６６に水Ｗが残置されることを回避することができる。その結果、雌型端子３４ａ〜３４ｇが腐食することが一層有効に回避される。
【００５０】
以上においては液体である水Ｗを例示して説明しているが、固体である異物であっても同様に、第１押圧部位６２ａ及び第２押圧部位６２ｂの傾斜角度θ１、θ２を適切に設定したり、スリット８０を形成したりすることにより、内方クリアランス６６から異物を容易に除去することができる。また、バッテリ側コネクタ３０を充電用コネクタに対して連結した後に離脱させる場合においても上記と同様に、充電用コネクタの雄型端子６４ａ〜６４ｇに付着した水Ｗや異物がバッテリ側コネクタ３０に残置されることが回避される。
【００５１】
本発明は、上記した実施の形態に特に限定されるものではなく、本発明の主旨を逸脱しない範囲で種々の変更が可能である。
【００５２】
例えば、雌型端子は、１個の板型端子部５４から第１端子部５６ａと第２端子部５６ｂが分岐した単一部材からなる雌型端子３４ａ〜３４ｇに特に限定されるものではなく、別個の部材である第１端子部材と第２端子部材を連結して構成されるものであってもよい。
【００５３】
また、図１０に示すように、第１押圧部位６２ａと第２押圧部位６２ｂの傾斜方向を同一としてもよい。
【００５４】
さらに、内方クリアランス６６から雄型端子６４ａ〜６４ｇが離脱した後、第１押圧部位６２ａと第２押圧部位６２ｂは、互いに当接してもよいし、離間してもよい。
【符号の説明】
【００５５】
１０…バッテリパック                １２…ハウジング
３０…バッテリ側コネクタ            ３２…負荷側コネクタ
３４ａ〜３４ｇ…雌型端子            ３６…収容孔
４２…差込口                        ４４…案内孔
４６…位置決めピン                  ５４…板型端子部
５６ａ…第１端子部                  ５６ｂ…第２端子部
６０…開口端部                      ６２ａ…第１押圧部位
６２ｂ…第２押圧部位                ６４ａ〜６４ｇ…雄型端子
６６…内方クリアランス              ７４…ピン支持部
８０…スリット                      Ｗ…水
【図１】
2019204576.tif 000003
【図２】
2019204576.tif 000004
【図３】
2019204576.tif 000005
【図４】
2019204576.tif 000006
【図５】
2019204576.tif 000007
【図６】
2019204576.tif 000008
【図７】
2019204576.tif 000009
【図８】
2019204576.tif 000010
【図９】
2019204576.tif 000011
【図１０】
2019204576.tif 000012